【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
皮膚クリアリングシステムであって、前記皮膚クリアリングシステムは、
パルス音響波発生器であって、前記パルス音響波発生器は、複数のパルス音響波を発生させ、前記発生させられた波を皮膚に向かわせるように構成されており、前記パルス音響波発生器は、レーザ光を放出するように構成されているレーザ光源とともに動作可能である、パルス音響波発生器と、
前記パルス音響波発生器に結合されているコントローラであって、前記コントローラは、前記パルス音響波の発生が無効にされかつレーザ光が前記レーザ光源によって前記皮膚に印加される第１の時間周期の満了に基づいて、第２の時間周期中の前記パルス音響波の発生を有効にするように構成されている、コントローラと
を備え、
前記第２の時間周期中に前記皮膚に送達される前記パルス音響波は、前記第１の時間周期中に前記レーザ光源の結果として発生させられる表皮および皮内空胞の少なくとも一部をクリアにする、皮膚クリアリングシステム。
【請求項２】
前記発生させられた音響波は、約７００ＫＨｚ〜約１００Ｍｈｚの周波数を有する、請求項１に記載の皮膚クリアリングシステム。
【請求項３】
前記コントローラは、約１ナノ秒〜約１マイクロ秒のパルス持続時間で前記パルス音響波を発生させるように構成されている、請求項１に記載の皮膚クリアリングシステム。
【請求項４】
前記コントローラは、約１０Ｈｚ〜約１ＫＨｚのパルスレートで前記パルス音響波を発生させるように構成されている、請求項１に記載の皮膚クリアリングシステム。
【請求項５】
前記コントローラは、約０．１５〜約１．９のメカニカルインデックスＭＩを有するパルス音響波を発生させるように構成されている、請求項１に記載の皮膚クリアリングシステム。
【請求項６】
前記パルス音響波発生器は、高速パルス電気水圧衝撃波発生器を含み、前記高速パルス電気水圧衝撃波発生器は、
チャンバおよび衝撃波出口を画定する筐体と、
前記チャンバの中に配置されている媒体と、
前記チャンバの中に配置され、１つ以上のスパーク間隙を画定するように構成されている複数の電極およびコンデンサと、
電圧パルスを前記チャンバの中の前記複数の電極およびコンデンサに印加するように構成されているパルス発生システムと
を備えている、請求項１に記載の皮膚クリアリングシステム。
【請求項７】
前記コントローラは、約１０Ｈｚ〜約５ＭＨｚのレートのパルスで前記音響波を発生させるように構成されている、請求項１に記載の皮膚クリアリングシステム。
【請求項８】
前記パルス音響波発生器は、メガソニック波発生器を含み、
前記メガソニック波発生器は、
約７００ＫＨｚ〜約２０Ｍｈｚまたは約１０Ｈｚ〜約１ＫＨｚの周波数、および／または
約１ナノ秒〜約１マイクロ秒のパルス持続時間
を伴うパルス音響波を生成するように構成されている、請求項１に記載の皮膚クリアリングシステム。
【請求項９】
前記パルス音響波発生器は、メガソニック波発生器を含み、
前記メガソニック波発生器の電力は、メカニカルインデックス（ＭＩ）が約０．１５〜１．８であるように設定されている、請求項１に記載の皮膚クリアリングシステム。
【請求項１０】
前記高速パルス電気水圧発生器は、ピーク圧力出力が約０．８ＭＰａ〜２０ＭＰａであるように設定されている、請求項６に記載の皮膚クリアリングシステム。
【請求項１１】
前記第１の時間周期および前記第２の時間周期の各々は、３０秒より大きいまたは３０秒に等しく、前記第２の時間周期は、９０秒より小さいまたは９０秒に等しい、請求項１に記載の皮膚クリアリングシステム。
【請求項１２】
前記第１の時間周期または前記第２の時間周期は、約３０秒〜約１０分である、請求項１１に記載の皮膚クリアリングシステム。
【請求項１３】
前記コントローラは、
前記レーザ光源の動作に対応する前記第１の時間周期中、前記パルス音響波の発生を無効にすることと、
前記レーザ光源の動作に対応する第３の時間周期中、前記パルス音響波の発生を無効にすることと、
レーザ光が前記皮膚に印加される前記第３の時間周期の満了に基づいて、第４の時間周期中の前記パルス音響波の発生を有効にすることと、
前記レーザ光源の動作に対応する第５の時間周期中、前記パルス音響波の発生を無効にすることと、
レーザ光が前記皮膚に印加される前記第５の時間周期の満了に基づいて、第６の時間周期中の前記パルス音響波の発生を有効にすることと、
を行うようにさらに構成されており、
前記第４の時間周期および前記第６の時間周期中に前記皮膚に送達される前記パルス音響波は、前記レーザ光源によって発生させられる表皮および皮内空胞の少なくとも一部をクリアにする、請求項１に記載の皮膚クリアリングシステム。
【請求項１４】
前記第１の時間周期、前記第３の時間周期、および、前記第５の時間周期は、２４時間周期内に生じ、
前記クリアにされた表皮および皮内空胞のうちの少なくとも一部は、深部皮膚空胞ではなく、かつ／または
前記パルス音響波発生器は、前記第２の時間周期、前記第４の時間周期、および／または、前記第６の時間周期中、約０．１分〜約１０分の間、前記皮膚を治療するように構成されている、請求項１３に記載の皮膚クリアリングシステム。
【請求項１５】
前記レーザ光源を備える皮膚レーザシステムをさらに備え、前記皮膚レーザシステムは、前記第１の時間周期、前記第３の時間周期、および、前記第５の時間周期中にレーザ光を発生させるように構成されており、
前記レーザ光源は、Ｑ−スイッチレーザまたはピコ秒レーザを備え、
前記皮膚レーザシステムは、約１ナノ秒〜約１マイクロ秒のパルス持続時間を伴う前記レーザを標的皮膚に印加するように構成されている、請求項１３に記載の皮膚クリアリングシステム。
【請求項１６】
前記レーザ光源によって提供されるレーザ治療は、入れ墨除去、レーザ皮膚面再生、母斑のレーザ除去、皮膚病変のレーザ除去、レーザ植毛、レーザ瘢痕除去、レーザ支援減毛、血管病変のレーザ除去、レーザ唇美白化、および、黒皮症のレーザ治療を含む群から選択される治療を含む、請求項１に記載の皮膚クリアリングシステム。
【手続補正２】
【補正対象書類名】明細書
【補正対象項目名】００４６
【補正方法】変更
【補正の内容】
【００４６】
上記で説明される実施形態およびその他と関連付けられる詳細が、以下に提示される。
本発明は、例えば、以下を提供する。
（項目１）
組織内の空胞を分散させるための前記組織の音響治療のための方法であって、前記方法は、
空胞を含む組織の場所を識別することと、
前記空胞を含む前記組織に音響波発生器を結合することと、
前記音響波発生器から前記空胞を含む前記組織の中へパルス音響波を向かわせることと
を含む、方法。
（項目２）
空胞を含む前記組織は、レーザを用いて前もって治療されている、項目１に記載の方法。
（項目３）
前記音響波発生器から前記空胞を含む前記組織の中へパルス音響波を向かわせた後、レーザを用いて空胞を含む皮膚を治療することをさらに含む、項目２に記載の方法。
（項目４）
皮膚は、約０．１分〜約１０分にわたって音響波発生器を用いて治療される、項目３に記載の方法。
（項目５）
前記レーザ治療は、約１ナノ秒〜約１マイクロ秒のパルス持続時間を伴うレーザを前記標的皮膚に印加することを含む、項目３に記載の方法。
（項目６）
前記レーザは、Ｑ−スイッチレーザまたはピコ秒レーザを備えている、項目３に記載の方法。
（項目７）
前記レーザ治療は、入れ墨除去を含む、項目３に記載の方法。
（項目８）
前記レーザ治療は、レーザ皮膚面再生を含む、項目３に記載の方法。
（項目９）
前記レーザ治療は、母斑のレーザ除去を含む、項目３に記載の方法。
（項目１０）
前記レーザ治療は、皮膚病変のレーザ除去を含む、項目３に記載の方法。
（項目１１）
前記レーザ治療は、レーザ植毛を含む、項目３に記載の方法。
（項目１２）
前記レーザ治療は、レーザ瘢痕除去を含む、項目３に記載の方法。
（項目１３）
前記レーザ治療は、レーザ支援減毛を含む、項目３に記載の方法。
（項目１４）
前記レーザ治療は、血管病変のレーザ除去を含む、項目３に記載の方法。
（項目１５）
前記レーザ治療は、レーザ唇美白化を含む、項目３に記載の方法。
（項目１６）
前記レーザ治療は、黒皮症のレーザ治療を含む、項目３に記載の方法。
（項目１７）
前記音響波発生器から前記空胞を含む前記組織の中へパルス音響波を向かわせた後、レーザを用いて空胞を含む前記皮膚を治療することと、
単一の治療セッションにおいて少なくとも２回の反復に対して交互する様式で向かわせることおよび治療することを繰り返すことと
をさらに含む、項目３に記載の方法。
（項目１８）
レーザを用いて空胞を含む前記皮膚を治療することは、前記パルス音響波を向かわせることの１０分以内に実施される、項目１７に記載の方法。
（項目１９）
前記パルス音響波を向かわせることの少なくとも２回の後続の反復は、１０分またはそれ未満以内に実施される、項目１８に記載の方法。
（項目２０）
パルス音響波発生器を備えている皮膚クリアリングシステムであって、前記パルス音響波発生器は、パルス音響波を発生させ、前記発生させられた波を皮膚に向かわせ、表皮および皮内空胞をクリアにするように構成されている、皮膚クリアリングシステム。
（項目２１）
前記発生させられた音響波は、約７００ＫＨｚ〜約１００Ｍｈｚの周波数を有する、項目２０に記載の皮膚クリアリングシステム。
（項目２２）
前記発生させられた音響波は、約１ナノ秒〜約１マイクロ秒のパルス持続時間を有する、項目２０に記載の皮膚クリアリングシステム。
（項目２３）
前記発生させられた音響波は、約１０Ｈｚ〜約１ＫＨｚのパルスレートを有する、項目２０に記載の皮膚クリアリングシステム。
（項目２４）
前記発生させられた波のメカニカルインデックスＭＩは、約０．１５〜約１．９である、項目２０に記載の皮膚クリアリングシステム。
（項目２５）
前記パルス音響波発生器は、高速パルス電気水圧衝撃波発生器を含み、前記高速パルス電気水圧衝撃波発生器は、
チャンバおよび衝撃波出口を画定する筐体と、
前記チャンバの中に配置されている媒体と、
前記チャンバの中に配置され、１つ以上のスパーク間隙を画定するように構成されている複数の電極およびコンデンサと、
電圧パルスを前記チャンバの中の前記複数の電極およびコンデンサに印加するように構成されているパルス発生システムと
を備えている、項目２０に記載の皮膚クリアリングシステム。
（項目２６）
前記パルス音響波発生器は、約１０Ｈｚ〜約５ＭＨｚのレートのパルスで前記音響波を発生させるように構成されている、項目２０に記載の皮膚クリアリングシステム。
（項目２７）
前記パルス音響波発生器は、メガソニック波発生器を含む、項目２０に記載の皮膚クリアリングシステム。
（項目２８）
前記メガソニック波発生器は、約７００ＫＨｚ〜約２０Ｍｈｚの周波数を伴うパルス音響波を生成するように構成されている、項目２７に記載の皮膚クリアリングシステム。
（項目２９）
前記メガソニック波発生器は、約１ナノ秒〜約１マイクロ秒のパルス持続時間を伴うパルス音響波を生成するように構成されている、項目２７に記載の皮膚クリアリングシステム。
（項目３０）
前記メガソニック波発生器は、約１０Ｈｚ〜約１ＫＨｚのパルスレートを伴うパルス音響波を生成するように構成されている、項目２７に記載の皮膚クリアリングシステム。
（項目３１）
前記メガソニック波発生器の電力は、前記メカニカルインデックス（ＭＩ）が約０．１５〜１．８であるように設定されている、項目２７に記載の皮膚クリアリングシステム。
（項目３２）
前記高速パルス電気水圧発生器は、ピーク圧力出力が約０．８ＭＰａ〜２０ＭＰａであるように設定されている、項目２７に記載の皮膚クリアリングシステム。